【手続補正書】
【提出日】平成16年9月8日(2004.9.8)
【手続補正１】
【補正対象書類名】明細書
【補正対象項目名】発明の名称
【補正方法】変更
【補正の内容】
【発明の名称】モータ、光偏向装置及び画像形成装置
【手続補正２】
【補正対象書類名】明細書
【補正対象項目名】特許請求の範囲
【補正方法】変更
【補正の内容】
【特許請求の範囲】
【請求項１】
ベース部材と、
前記ベース部材に対し回転する軸受と、前記軸受の外周面に固定されたフランジと、前記フランジに固定されたポリゴンミラーとを備える回転体と、を具備し、
前記ポリゴンミラーの端面に凸部を設け、バランス調整のため前記凸部を部分的に除去したことを特徴とするモータ。
【請求項２】
前記凸部を部分的に除去して形成された凹部の深さが前記凸部の高さ以下であることを特徴とする請求項１に記載のモータ。
【請求項３】
前記ポリゴンミラーが前記凸部の設けられた端面の反対面で前記フランジに固定されていることを特徴とする請求項１または２に記載のモータ。
【請求項４】
ベース部材と、
前記ベース部材に対し回転する軸受と、前記軸受の外周面に固定されたフランジと、前記フランジに接着剤により固定されたポリゴンミラーと、前記フランジの前記ポリゴンミラーとの固定面の反対面に固定された磁石と、を備える回転体と、を具備し、
前記ポリゴンミラーと前記フランジとの接着面の外径が前記磁石の内径以下であることを特徴とするモータ。
【請求項５】
前記磁石が前記フランジの反対面に形成した凹部内に接着剤により固定されたことを特徴とする請求項４に記載のモータ。
【請求項６】
前記ポリゴンミラーと前記フランジとの少なくとも一方に突出部を設け、前記突出部に前記接着面を設けたことを特徴とする請求項４または５に記載のモータ。
【請求項７】
ベース部材と、
前記ベース部材に対し回転する軸受と、前記軸受の外周面に固定されたフランジと、前記フランジに接着剤により固定されたポリゴンミラーと、前記フランジの前記ポリゴンミラーとの固定面の反対面に固定された磁石とを備える回転体と、を具備し、
前記ポリゴンミラーの端面に凸部を設け、バランス調整のため前記凸部を部分的に除去し、
前記ポリゴンミラーと前記フランジとの接着面の外径が前記磁石の内径以下であることを特徴とするモータ。
【請求項８】
前記凸部を部分的に除去して形成された凹部の深さが前記凸部の高さ以下であることを特徴とする請求項７に記載のモータ。
【請求項９】
請求項１〜８のいずれか１項に記載のモータを備えることを特徴とする光偏向装置。
【請求項１０】
請求項９に記載の光偏向装置を備え、前記ポリゴンミラーで反射した光により感光体に画像情報を書き込むことを特徴とする画像形成装置。
【手続補正３】
【補正対象書類名】明細書
【補正対象項目名】０００２
【補正方法】変更
【補正の内容】
【０００２】
【従来の技術】
従来、レーザビームプリンタやデジタル複写機等の電子写真方式による画像形成装置では感光体ドラムに画像を書き込むために光ビーム走査を行う光偏向装置が用いられている。かかる光偏向装置は、磁石を固定したポリゴンミラーを軸受を介して回転自在に構成された動圧軸受を設け、この動圧軸受の磁石と対向してコイルを基板上に設けて構成されたモータを備えている。かかる公知のモータの例を図６に示す。
【手続補正４】
【補正対象書類名】明細書
【補正対象項目名】０００３
【補正方法】変更
【補正の内容】
【０００３】
図６の従来のモータは、ベース板１１０と、ミラー面１７１の形成されたポリゴンミラー１７０とポリゴンミラー１７０の押さえ板１６０とポリゴンミラー１７０を固定するフランジ１８０とを有する回転体１５０と、フランジ１８０の内周面１８１に設けられた軸受２００と、フランジ１８０の凹部に固定された磁石２２０とを有する。このモータでは、ベース板１１０の中心軸１１０の下部には下スラスト軸受２１１が固定され、中心軸１１１に貫通して軸受１９０が固定され、更に中心軸１１１の上部には上スラスト軸受２１０が固定板２５０によりねじ止めで固定されており、軸受１９０と上下スラスト軸受２１０、２１１とによりベース板１１０の中心軸１１１に固定された凹部２６０が形成される。モータは、磁石２２０に対向するようにベース板１１０のプリント基板１２０上に固定されたコイル１３０を備える。モータは、コイル１３０への通電時に磁石２２０との相互作用により軸受２００が回転体１５０とともに凹部２６０との間にエアギャップを形成しながら高速回転する。
【手続補正５】
【補正対象書類名】明細書
【補正対象項目名】０００７
【補正方法】変更
【補正の内容】
【０００７】
【発明が解決しようとする課題】
本発明は、上述のような従来技術の問題に鑑み、回転体側が固定軸受側に対し浮上しながら回転するモータにおいて小型化を実現する際の問題点を解決し、小型化したモータ、このモータを備えた光偏向装置及び画像形成装置を提供することを目的とする。
【手続補正６】
【補正対象書類名】明細書
【補正対象項目名】０００８
【補正方法】変更
【補正の内容】
【０００８】
【課題を解決するための手段】
上記目的を達成するために、本発明によるモータは、ベース部材と、前記ベース部材に対し回転する軸受と前記軸受の外周面に固定されたフランジと前記フランジに固定されたポリゴンミラーとを備える回転体と、を具備し、前記ポリゴンミラーの端面に凸部を設け、バランス調整のため前記凸部を部分的に除去したことを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００２１
【補正方法】変更
【補正の内容】
【００２１】
この場合、前記凸部を部分的に除去して形成された凹部の深さが前記凸部の高さ以下であることが好ましい。
【手続補正１３】
【補正対象書類名】明細書
【補正対象項目名】００２４
【補正方法】変更
【補正の内容】
【００２４】
【発明の実施の形態】
以下、本発明による第１〜第４の実施の形態について図面を用いて説明する。
【手続補正１４】
【補正対象書類名】明細書
【補正対象項目名】００２６
【補正方法】変更
【補正の内容】
【００２６】
図１は本発明の光偏向装置の側断面図である。図１の第１の光偏向装置１０は、アルミニウム等の金属からなるベース部材１１と、ベース部材１１に取り付けられ固定されるプリント基板１２と、プリント基板１２上に形成されて固定されたコイル１３と、コイル１３と対向するようにベース部材１１に設けられた固定ヨーク１４と、ベース部材１１に対して回転する回転体１５とを備える。
【手続補正１５】
【補正対象書類名】明細書
【補正対象項目名】００２７
【補正方法】変更
【補正の内容】
【００２７】
回転体１５は、ミラー面１７ａの形成されたポリゴンミラー１７と、ポリゴンミラー１７が接着剤によりその上端面１８ｃに固定されたフランジ１８と、フランジ１８の内周面１８ｂに固定された軸受２０と、プリント基板２２を挟んでイル１３に対向するようにフランジ１８の凹部１８ａにはめ込まれて固定された磁石２２とを備え、各部分が一体に回転する。ポリゴンミラー１７の径は図６の従来のものよりも小さくなっており、そのため軸受２０は従来よりも小型であり小径となっている。
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】変更
【補正の内容】
【００３６】
図２は本発明の第１の実施の形態を示す光偏向装置の側断面図である。図２の第２の光偏向装置３０は、図１の光偏向装置１０と比較してポリゴンミラーにバランス調整用の凸部を設けた点以外はほぼ同一の構成であるので、同一部分は同一の符号を付けてその説明を省略する。
【手続補正２３】
【補正対象書類名】明細書
【補正対象項目名】００３７
【補正方法】変更
【補正の内容】
【００３７】
図２に示すように、第２の光偏向装置３０では、ポリゴンミラー１７は、その下側面１７ｂでフランジ１８の上端面１８ｃに接着剤で固定され、その上端面１７ｃに円周状に上端面１７ｃから突き出た凸部１７ｄが設けられている。凸部１７ｄは、回転体１５のバランス調整のために部分的に削られており、削り部として凹部１７ｅが形成されている。凹部１７ｅの円周上の位置は個々の回転体により異なるが、凹部１７ｅの深さは、凸部１７ｄの高さよりも小さく、上端面１７ｃのレベルに達しない深さとされている。
【手続補正２４】
【補正対象書類名】明細書
【補正対象項目名】００３８
【補正方法】変更
【補正の内容】
【００３８】
以上のような光偏向装置３０によれば、回転体１５のバランス調整のためにポリゴンミラー１７の上端面１７ｃから突き出た凸部１７ｄを削るので、その削りの影響によりポリゴンミラー１７に歪みが発生し難くなり、ミラー面１７ａの平面性の悪化を防止できる。従って、従来の図６のような回転体のバランス調整のためにその一部を削っていた押さえ部材を省略することができ、モータの小型化に寄与できる。また、凸部１７ｄを部分的に除去して形成された凹部１７ｅの深さが凸部１７ｄの高さ以下であるためポリゴンミラー１７が歪み難くなり、ミラー面１７ａの平面性の悪化を防止する点で好ましい。
【手続補正２５】
【補正対象書類名】明細書
【補正対象項目名】００３９
【補正方法】変更
【補正の内容】
【００３９】
〈第２の実施の形態〉
【手続補正２６】
【補正対象書類名】明細書
【補正対象項目名】００４０
【補正方法】変更
【補正の内容】
【００４０】
図３は本発明の第２の実施の形態を示す光偏向装置の側断面図である。図３の第３の光偏向装置４０は、図１の光偏向装置１０と比較して、ポリゴンミラーとフランジとの接着剤による接着位置を磁石のフランジにおける位置よりも内径側になるように構成した以外はほぼ同一の構成であるので、同一部分は同一の符号を付けてその説明を省略する。
【手続補正２７】
【補正対象書類名】明細書
【補正対象項目名】００４１
【補正方法】変更
【補正の内容】
【００４１】
図３に示すように、第３の光偏向装置４０では、ポリゴンミラー１７の下側面１７ｂの内周側に円周状に突き出た突出部１７ｆを設け、この突出部１７ｆとフランジ１８の上端面１８ｃとが接触する接着面４１で接着剤によりポリゴンミラー１７とフランジ１８ｄとが接着固定されている。また、フランジ１８の下端面１８ｄ側に形成された凹部１８ａ内に磁石２２がはめ込まれかつ接着剤により固定されている。ここで、ポリゴンミラー１７の突出部１７ｆとフランジ１８との接着面４１の外径Ｄは、磁石２２の内径側の端部２２ａの内径ｄよりも小さく構成されている。
【手続補正２８】
【補正対象書類名】明細書
【補正対象項目名】００４２
【補正方法】変更
【補正の内容】
【００４２】
第３の光偏向装置４０によれば、フランジ１８とポリゴンミラー１７とを接着剤により固定するので、従来の図６のようなポリゴンミラーをフランジに固定する押さえ部材を省略することができ、モータの小型化に寄与できる。また、磁石２２が接着されたフランジ１８の下端面１８ｄの接着部分において温度変化に起因してフランジ１８が変形した場合でも、フランジ１８とポリゴンミラー１７との接着面４１の外径Ｄを磁石２２の端部２２ａの内径ｄよりも小さくすることにより、かかるフランジ１８の変形がポリゴンミラー１７に伝わることを防止できる。このため、ポリゴンミラー１７の温度変化に起因する変形を防止でき、ミラー面１７ａの平面性に影響を及ぼさない。
【手続補正２９】
【補正対象書類名】明細書
【補正対象項目名】００４４
【補正方法】変更
【補正の内容】
【００４４】
〈第３の実施の形態〉
【手続補正３０】
【補正対象書類名】明細書
【補正対象項目名】００４５
【補正方法】変更
【補正の内容】
【００４５】
図４は本発明の第３の実施の形態を示す第４の光偏向装置の側断面図である。図４に示す第４の光偏向装置５０は、図１、図２及び図３の各特徴を併せ持つようにしたものである。即ち、図１のように焼きばめと接着剤とを併用することにより軸受２０とフランジ１８とを焼きばめによる歪みを抑えながら充分な強度で固定できるようにし、また、従来の図６のような押さえ部材を省略し、図２のようにポリゴンミラー１７の上端面１７ｃから突き出て設けた凸部１７ｄを削って凹部１７ｅを回転体１５のバランス調整のために形成し、その削りの影響によるポリゴンミラー１７の歪みの発生を防止し、更に、フランジ１８とポリゴンミラー１７とを接着剤により固定し、フランジ１８とポリゴンミラー１７との接着面４１の外径Ｄを磁石２２の端部２２ａの内径ｄよりも小さくし、温度変化に起因したフランジ１８の変形がポリゴンミラー１７に伝わることを防止し、ポリゴンミラー１７及びミラー面１７ａの温度変化による変形を防止するようにしたものである。
【手続補正３１】
【補正対象書類名】明細書
【補正対象項目名】００４６
【補正方法】変更
【補正の内容】
【００４６】
図４の第４の光偏向装置５０によれば、ミラーを固定するための押さえ部材が不要であり軸受２０を小径化でき小型化を達成できる。また、回転体１５のバランス調整のための削りや、温度変化による磁石２２とフランジ１８との接着面４１における歪みによるミラー面１７ａの変形を防止できる。更に、フランジ１８との固定による軸受２０の変形が小さく、軸受２０が小径になっても充分なフランジとの固定強度を持つ信頼性の高い光偏向装置を実現できる。
【手続補正３２】
【補正対象書類名】明細書
【補正対象項目名】００４７
【補正方法】変更
【補正の内容】
【００４７】
〈第４の実施の形態〉
【手続補正３３】
【補正対象書類名】明細書
【補正対象項目名】００４８
【補正方法】変更
【補正の内容】
【００４８】
次に、第４の実施の形態として、図１〜図４に示した光偏向装置を画像形成装置の光走査光学ユニットに組み込んだ例を図６により説明する。図６は光走査光学ユニットの概略的構成を示す斜視図である。
【手続補正３４】
【補正対象書類名】明細書
【補正対象項目名】００５１
【補正方法】変更
【補正の内容】
【００５１】
以上のように本発明を実施の形態により説明したが、本発明はこれらに限定されるものではなく、本発明の技術的思想の範囲内で各種の変形が可能である。例えば、本発明によるモータは光偏向装置以外の他の装置に適用してもよい。また、図３，図４のポリゴンミラー１７の突出部は、フランジ１８の上端面１８ｃ側に設けてもよく、両方に設けてもよい。また、光偏向装置は画像形成装置以外のバーコード等の他の装置に適用してもよい。
【手続補正３５】
【補正対象書類名】明細書
【補正対象項目名】図面の簡単な説明
【補正方法】変更
【補正の内容】
【図面の簡単な説明】
【図１】
本発明の光偏向装置の側断面図である。
【図２】
本発明の第１の実施の形態による光偏向装置の側断面図である。
【図３】
本発明の第２の実施の形態による光偏向装置の側断面図である。
【図４】
本発明の第３の実施の形態による光偏向装置の側断面図である。
【図５】
本発明の第４の実施の形態による画像形成装置の光走査光学ユニットの斜視図である。
【図６】
従来の光偏向装置の側断面図である。
【符号の説明】
１１            ベース部材
１１ａ          中心軸
１２            プリント基板
１３            コイル
１４            固定ヨーク
１５            回転体
１６            軸受２０とフランジ１８との間の接着剤層
１７            ポリゴンミラー
１７ａ          ミラー面
１７ｂ          上側面
１７ｃ          下側面
１７ｄ          凸部
１７ｅ          凹部
１７ｆ          突出部
１８            フランジ
１８ａ          凹部
１８ｂ          内周面
１８ｃ          上端面
１８ｄ          下端面
１９            ラジアル軸受
２０            回転体側の軸受
２０ａ          軸受２０の外周面
２１ａ          上スラスト軸受
２１ｂ          下スラスト軸受
２２            磁石
２２ａ          磁石２２の内径側の端部
４１            接着面
７２            光偏向装置
９１            感光体ドラム
ｄ            磁石２２の内径側の端部の内径
Ｄ            接着面４１の外径
【手続補正３６】
【補正対象書類名】図面
【補正対象項目名】全図
【補正方法】変更
【補正の内容】
【図１】
2002048996.tif 000001
【図２】
2002048996.tif 000002
【図３】
2002048996.tif 000003
【図４】
2002048996.tif 000004
【図５】
2002048996.tif 000005
【図６】
2002048996.tif 000006